(57)【要約】【課題】機密情報層がスクラッチ隠蔽層よりも厚く形成された場合であっても機密情報が不正に読み取られることを防止できる、隠蔽性に優れたスクラッチ隠蔽層付印刷物を提供すること。【解決手段】基材と、機密情報が印刷された機密情報層と、スクラッチ隠蔽層と、を有し、スクラッチ隠蔽層を削り取ることにより機密情報が視認可能となるスクラッチ隠蔽層付印刷物において、前記スクラッチ隠蔽層上に所定の柄印刷層を設ける。【選択図】図１
2014069360.tif 000002
【特許請求の範囲】
【請求項１】
基材と、機密情報が印刷された機密情報層と、スクラッチ隠蔽層と、を有し、スクラッチ隠蔽層を削り取ることにより機密情報が視認可能となるスクラッチ隠蔽層付印刷物であって、
前記スクラッチ隠蔽層上には所定の柄印刷層が設けられていることを特徴とするスクラッチ隠蔽層付印刷物。
【請求項２】
前記柄印刷層の柄が、前記印刷された機密情報の文字よりも大きな柄であることを特徴とする請求項１に記載のスクラッチ隠蔽層付印刷物。
【請求項３】
前記柄印刷層の柄が、迷彩柄、地紋柄、および微細な文字を不規則に配列した柄、のいずれかであることを特徴とする請求項１または２に記載のスクラッチ隠蔽層付印刷物。
【請求項４】
前記機密情報層とスクラッチ隠蔽層との間に剥離層が設けられていることを特徴とする請求項１〜３のいずれか一項に記載のスクラッチ隠蔽層付印刷物。
【請求項５】
前記スクラッチ隠蔽層が銀色であり、前記柄印刷層が黒色であることを特徴とする請求項１〜４のいずれか一項に記載のスクラッチ隠蔽層付印刷物。
【発明の詳細な説明】
【技術分野】
【０００１】
本発明は、スクラッチ隠蔽層付印刷物に関する。
【背景技術】
【０００２】
従来から、紙などの基材上に機密情報を印刷し、これをスクラッチ隠蔽層によって隠蔽したスクラッチ隠蔽層付印刷物が存在している。利用者は、硬貨などによってスクラッチ隠蔽層を削り取ることにより、隠蔽されていた機密情報を視認できる。
【０００３】
このようなスクラッチ隠蔽層付印刷物においては、機密情報を不正に読み取られることを防止する必要があり、隠蔽性を向上するための工夫が種々行われている。
【０００４】
たとえば、特許文献１には、機密情報層の色とスクラッチ隠蔽層の色を同一色とすることにより、機密情報の隠蔽性が向上されたスクラッチ隠蔽層付印刷物が開示されている。
【先行技術文献】
【特許文献】
【０００５】
【特許文献１】特開２００７−１５２９０７号公報
【発明の概要】
【発明が解決しようとする課題】
【０００６】
特許文献１に記載されている工夫により隠蔽性が向上される場合ももちろんあるが、すべての機密情報に対し万能に効果を奏するわけではなく、さらなる改良の余地がある。
【０００７】
つまり、近年においては、「あたり」「はずれ」のような単純な機密情報のみならず、シリアルナンバーや二次元バーコードなど、複雑かつ個別な機密情報が用いられる場合も多く、このような個別な機密情報の印刷にあっては、粉体トナーを用いたオンデマンド印刷法が用いられることが多い。
【０００８】
そして、機密情報をオンデマンド印刷法により印刷した場合、当該機密情報層の厚さは通常のＵＶオフセット印刷層の厚さに比べて５〜８倍厚くなるのが一般的であり、そうすると、分厚く印刷された機密情報層の上に薄いスクラッチ隠蔽層を形成しても、段差が目立ってしまい、機密情報を完全に隠蔽できない場合があった。
【０００９】
この問題は、オンデマンド印刷法を用いた場合にのみ生じる問題ではなく、何らかの要因によって機密情報層がスクラッチ隠蔽層よりも厚く形成された場合には常に生じ得る問題である。
【００１０】
本発明はこのような状況においてなされたものであり、機密情報層がスクラッチ隠蔽層よりも厚く形成された場合であっても機密情報が不正に読み取られることを防止できる、隠蔽性に優れたスクラッチ隠蔽層付印刷物を提供することを主たる課題とする。
【課題を解決するための手段】
【００１１】
上記課題を解決するための発明は、基材と、機密情報が印刷された機密情報層と、スクラッチ隠蔽層と、を有し、スクラッチ隠蔽層を削り取ることにより機密情報が視認可能となるスクラッチ隠蔽層付印刷物であって、前記スクラッチ隠蔽層上には所定の柄印刷層が設けられていることを特徴とする。
【００１２】
上記の発明にあっては、前記柄印刷層の柄が、前記印刷された機密情報の文字よりも大きな柄であってもよい。
【００１３】
また、上記の発明にあっては、前記柄印刷層の柄が、迷彩柄、地紋柄、および微細な文字を不規則に配列した柄、のいずれかであってもよい。
【００１４】
また、上記の発明にあっては、前記機密情報層とスクラッチ隠蔽層との間に剥離層が設けられていてもよい。
【００１５】
さらに、上記の発明にあっては、前記スクラッチ隠蔽層が銀色であり、前記柄印刷層が黒色であってもよい。
【発明の効果】
【００１６】
本発明のスクラッチ隠蔽層付印刷物によれば、スクラッチ隠蔽層の上に所定の柄印刷層が形成されているため、当該柄印刷層の「柄」により、観者の目を錯覚せしめ、機密情報層に起因する凹凸を見えにくくすることができ、これにより機密情報が不正に読み取られることを効果的に防止することができる。
【図面の簡単な説明】
【００１７】
【図１】本発明の一実施形態にかかるスクラッチ隠蔽層付印刷物の概略断面図である。
【発明を実施するための形態】
【００１８】
以下、図面を参照しながら、本発明を実施するための実施形態について詳細に説明する。なお、本発明は以下に説明する形態に限定されることはなく、技術思想を逸脱しない範囲において種々変形を行なって実施することが可能である。また、添付の図面においては、説明のために上下、左右の縮尺を誇張して図示することがあり、実際のものとは縮尺が異なる場合がある。
【００１９】
図１は、本発明の一実施形態にかかるスクラッチ隠蔽層付印刷物の概略断面図である。
【００２０】
図１に示すように本実施形態にかかるスクラッチ隠蔽層付印刷物１０は、基材１１と、機密情報が印刷された機密情報層１２と、スクラッチ隠蔽層１３と、を有し、スクラッチ隠蔽層１３を削り取ることにより機密情報が視認可能となるスクラッチ隠蔽層付印刷物であって、前記スクラッチ隠蔽層１３上には所定の柄印刷層１４が設けられていることを特徴としている。以下に、本実施形態にかかるスクラッチ隠蔽層付印刷物１０の各構成について説明する。
【００２１】
（基材）
基材１１は、スクラッチ隠蔽層付印刷物を作成するベースとなり、この上に後述する各層が形成されることとなる。このような基材１１の材料としては、従来公知のスクラッチ隠蔽層付印刷物において用いられている基材と同様の材料を適宜選択して用いることができる。具体的には、上質紙、中質紙、コート紙、合成紙、含浸紙、ラミネート紙、金属蒸着紙、印刷用塗工紙、記録用塗工紙等の紙、ポリエチレンテレフタレートフィルム、ポリエチレンフィルム、ポリプロピレンフィルム、ポリカーボネートフィルム等のプラスチックフィルム、金属箔、あるいはこれらの積層体などを挙げることができる。
【００２２】
基材１１の厚みについても特に限定することはなく、用途に応じて適宜設計可能であるが、例えば０．０３ｍｍ〜１ｍｍ程度が好ましい。
【００２３】
（機密情報層）
機密情報層１２は、任意の文字、数字、記号、アルファベット等、各種パターン等、さらには、シリアルナンバーや二次元バーコードなどの隠蔽すべき情報が印刷された層であり、例えば、スクラッチくじの場合には、「当り」若しくは「はずれ」等の当選情報が印刷された層である。
【００２４】
機密情報層１２を形成する材料は、例えばバインダーとなる樹脂に何らかの着色剤を含有せしめることで構成されていてもよい。バインダー樹脂としては、例えば、ポリエステル樹脂、ウレタン樹脂、エポキシ樹脂、メラミン樹脂、アルキド樹脂、フェノール樹脂、アクリル樹脂等を用いることができる。また、着色剤としては、公知の着色剤、例えば、酸化チタン、亜鉛華、カーボンブラック、酸化鉄、鉄黄、群青、メタリック顔料、パール顔料等を用いることができる。
【００２５】
機密情報層１２は、上述のバインダー樹脂及び着色剤を分散・混合させたインキを用いて印刷により形成される。このインキの溶媒は特に限定されず、水、アルコール等の従来公知の溶媒を用いることができる。また、バインダー樹脂、着色層、インキの溶媒等の混合割合も特に限定されず、機密情報層１２を適切に印刷できる混合割合とすればよい。機密情報層１２用のインキには、これらの基本的な構成に加えて、他の添加物を添加することができる。また、上述のインキ以外にも、後述する印刷方法によっては、トナーやインクリボン等を使用することができる。
【００２６】
機密情報層１２の形成方法は、特に限定されるものでないが、例えば、サーマルヘッドによる感熱リボン転写方式、インキジェット方式、レーザー等によるトナー転写方式あるいはドットインパクト方式等が挙げられる。機密情報層１２の厚みは用途によって異なる。
【００２７】
なお、本実施形態に係るスクラッチ隠蔽層付印刷物は、後述する柄印刷層１４を形成することにより、機密情報層１２に起因する段差を認識しづらくすることが可能であるため、当該機密情報層１２の形成にあっては、粒子を含むトナーを用いた印刷方法を用いても問題が生じることがない。
【００２８】
（スクラッチ隠蔽層）
スクラッチ隠蔽層１３は、機密情報層１２により示される情報を隠蔽するための層であり、機密情報層１２を覆うように形成される層である。また、当該スクラッチ隠蔽層１３は、硬貨などにより削り取ることが可能となっている。
【００２９】
このようなスクラッチ隠蔽層１３を形成する材料は、例えばバインダーとなる樹脂に何らかの着色剤を含有せしめることで構成されていてもよい。バインダー樹脂としては、例えば、ポリエステル樹脂、ウレタン樹脂、エポキシ樹脂、メラミン樹脂、アルキド樹脂、フェノール樹脂、アクリル樹脂等が好ましい。また、着色剤としては、公知の着色剤、例えば、酸化チタン、亜鉛華、カーボンブラック、酸化鉄、鉄黄、群青、メタリック顔料、パール顔料等を用いることができる。
【００３０】
スクラッチ隠蔽層１３は、上述のバインダー樹脂及び着色剤を分散・混合させたインキを用いて印刷または塗布される。このインキの溶媒は特に限定されず、水、アルコール等の従来公知の溶媒を用いることができる。また、バインダー樹脂、着色層、インキの混合割合も特に限定されず、スクラッチ隠蔽層１３を適切に形成できる混合割合とすればよい。スクラッチ隠蔽層１３用のインキには、これらの基本的な構成に加えて、他の添加物を添加することができる。
【００３１】
スクラッチ隠蔽層１３の形成方法としては、特に限定されるものではないが、例えばグラビアオフセット印刷、ＵＶオフセット印刷、シルクスクリーン印刷、フレキソ印刷等が挙げられる。
【００３２】
なお、本実施形態に係るスクラッチ隠蔽層付印刷物１０は、後述する柄印刷層１４を形成することにより、機密情報層１２に起因する段差を認識しづらくすることが可能であるため、当該スクラッチ隠蔽層１３を厚くする必要はなく、したがってＵＶオフセット印刷などを用いても問題が生じることはない。
【００３３】
スクラッチ隠蔽層１３は、機密情報層１２を隠蔽するための役割を果たすものであるため、スクラッチ隠蔽層１３を設ける位置、大きさは、機密情報層１２の情報が判別できないような位置、大きさである必要がある。具体的には、スクラッチ隠蔽層１３は、機密情報層１２を覆うように基材１１の全面や、機密情報層１２が形成され得る位置にベタ塗りで形成することが好ましい。
【００３４】
また、スクラッチ隠蔽層１３の色については特に限定されることはなく、スクラッチ隠蔽層付印刷物の用途等を考慮して適宜設計可能である。また、必ずしも単一色である必要はなく、複数の色を用いることも可能である。
【００３５】
しかしながら、本実施形態にかかるスクラッチ隠蔽層付印刷物１０は、当該スクラッチ隠蔽層１３と、この上に形成される柄印刷層１４とにより観者の目に錯覚を生じさせ、機密情報層１２に起因する段差を見えづらくすることを特徴としており、当該観点からは、後述する柄印刷層１４の柄やその色との相性を考慮する必要があり、例えば、後述する柄印刷層１４の色が黒色の場合、当該スクラッチ隠蔽層１３は銀色とすることが好ましい。
【００３６】
なお、スクラッチ隠蔽層１３は、必ずしも単層構造である必要はなく、複数の層を積層した積層構造としてもよい。この場合においては、銀色のスクラッチ隠蔽層１３と黒色のスクラッチ隠蔽層１３とを順番に積層することもできる。これにより、隠蔽性を向上することができる。
【００３７】
（柄印刷層）
柄印刷層１４は、本実施形態にかかるスクラッチ隠蔽層付印刷物１０の特徴的な構成であり、前記機密情報層１２に起因して前記スクラッチ隠蔽層１３の表面に現れた段差を観者から見えづらくするために形成さえる層である。なお、当該柄印刷層１４は、最終的には、前記スクラッチ隠蔽層１３と一体となって硬貨により削り取られることとなる。
【００３８】
このような柄印刷層１４を形成する材料については特に限定することはなく、前述したスクラッチ隠蔽層１３において使用可能な材料から適宜選択して用いることができる。また、柄印刷層１４の形成方法についても特に限定することはなく、前述したスクラッチ隠蔽層１３において使用可能な各種印刷方法を採用することができる。
【００３９】
ここで、柄印刷層１４の柄については、前述の通り、「前記スクラッチ隠蔽層１３と、この上に形成される柄印刷層１４とにより観者の目に錯覚を生じさせ、機密情報層１２に起因する段差を見えづらくする」との観点から、前記スクラッチ隠蔽層１３との相性、および機密情報層１２の大きさや厚さ等を考慮しつつ設計する必要がある。
【００４０】
例えば、柄印刷層の柄を機密情報層における機密情報の文字よりも大きな柄とすることが好ましい。このように柄印刷層の柄を機密情報の文字よりも大きくすることにより、目の錯覚により段差を見えづらくすることができる。なお、文字の大きさよりも柄を大きくするとは、柄を構成する一単位の大きさを機密情報を構成する一文字よりも大きくすることを意味し、換言すれば、機密情報を構成する一文字の全体を柄が完全に覆っている状態を意味する。
【００４１】
また、柄印刷層の柄の種類についても上記の「前記スクラッチ隠蔽層１３と、この上に形成される柄印刷層１４とにより観者の目に錯覚を生じさせ、機密情報層１２に起因する段差を見えづらくする」との観点を考慮しつつ自由に設計可能であるが、例えば、迷彩柄、地紋柄、および微細な文字を不規則に配列した柄、のいずれかであることが好ましい。これらの柄は目の錯覚を生ぜしめやすく、段差を見えづらくすることができるからである。
【００４２】
柄印刷層の色については特に限定されることはないが、上記の観点から、前述したスクラッチ隠蔽層１３の色との相性を考慮する必要があり、例えば、前述したスクラッチ隠蔽層１３の色が銀色の場合、当該柄印刷層１４の色は黒色とすることが好ましい。
【００４３】
（その他の構成）
（剥離層）
本実施形態にかかるスクラッチ隠蔽層付印刷物１０にあっては、図１に示すように、少なくとも前記機密情報層１２とスクラッチ隠蔽層１３との間、さらに好ましくは基材１１とスクラッチ隠蔽層１３との間に剥離層１５が設けられていることが好ましい。当該剥離層１５を設けることにより、機密情報層１２がスクラッチ隠蔽層１３と一緒に削り取られることを防止することができるとともに、スクラッチ隠蔽層１３がきれいに削り取られるようにすることができる。
【００４４】
このような剥離層１５を形成する材料は、フェノール樹脂、キシレン樹脂、尿素樹脂、メラミン樹脂、ケトン樹脂、アルキッド樹脂、ポリアミド樹脂、アクリル樹脂、ポリ塩化ビニル樹脂、塩化ビニル／酢酸ビニル共重合樹脂、ポリ酢酸ビニル樹脂、ポリビニルアルコール樹脂、ポリビニルブチラール樹脂、ポリスチレン樹脂、エポキシ樹脂、またはポリウレタン樹脂等が用いられる。
【００４５】
剥離層１５は、上述のバインダー樹脂を含有するインキ組成物を分散・混合させたインキやＯＰニスを用いて印刷または塗布される。このインキの溶媒は特に限定されず、水、アルコール等の従来公知の溶媒を用いることができる。また、バインダー樹脂とインキの溶媒等の混合割合も特に限定されず、剥離層１５を適切に形成できる混合割合とすればよい。剥離層１５用のインキには、これらの基本的な構成に加えて、他の添加物を添加することができる。
【００４６】
剥離層１５の形成方法は、特に限定されるものでないが、例えば、印刷加工法で形成することが好ましい。印刷加工方法としては、オフセット印刷法、シルクスクリーン印刷法、グラビア印刷法、フレキソ印刷法等が挙げられる。また、剥離層１５の厚みは用途によって適宜設計可能である。
【符号の説明】
【００４７】
１０…スクラッチ隠蔽層付印刷物
１１…基材
１２…機密情報層
１３…スクラッチ隠蔽層
１４…柄印刷層
１５…剥離層
【図１】
2014069360.tif 000003